(57)【要約】【課題】  ダイニングテーブルをダイニング用として用いる場合でも、学習用として用いる場合でも、それぞれの利用に適切な照明条件でダイニングテーブル上を照明できる照明装置を提供する。【解決手段】  この照明装置１は、下向きに反射させる下側反射板２と、この下側反射板の下方に配置され下側反射板で反射光を生じさせる第１の光源４と、上記下側反射板２の上方に配置された上側反射板３と、これら下側反射板２と上側反射板３の間に配置され上側反射板３で反射光を生じさせる第２の光源５と、点灯状態切換手段１２とを備える。点灯状態切換手段１２は、第１の光源４のみが点灯する第１の点灯状態、および第１の点灯状態における第１の光源４の光度よりも低い光度で第１の光源４が点灯しかつ第２の光源５が点灯する第２の点灯状態の間で点灯状態を切換可能である。【選択図】      図１
2009059502.tif 000002
【特許請求の範囲】
【請求項１】
下向きに反射させる下側反射板と、この下側反射板の下方に配置され下側反射板で反射光を生じさせる第１の光源と、上記下側反射板の上方に配置された上側反射板と、これら下側反射板と上側反射板の間に配置され上側反射板で反射光を生じさせる第２の光源と、第１の光源のみが点灯する第１の点灯状態、および第１の点灯状態における第１の光源の光度よりも低い光度で第１の光源が点灯しかつ第２の光源が点灯する第２の点灯状態の間で点灯状態を切換可能な点灯状態切換手段とを備える照明装置。
【請求項２】
請求項１において、上側反射板と下側反射板との間に半透過板を介在させ、第２の光源を前記半透過板よりも上方に配置した照明装置。
【請求項３】
請求項１または請求項２において、下側反射板が下向きに凹となる凹曲面に形成され、上側反射板が下向きに凸となる凸曲面に形成された照明装置。
【発明の詳細な説明】
【技術分野】
【０００１】
この発明は、ダイニングルームなどの照明に用いられる照明装置に関する。
【背景技術】
【０００２】
近年、家庭での子供の学習空間としてダイニングルームを使用することで、学習効果をあげるという考え方が提唱されており、この考え方によりダイニングルームで子供が学習するケースが多くなってきている。
【０００３】
ダイニングテーブル上に求められる照明条件と、学習机上や学習空間で求められる照明条件とは、次のように異なり、これらの照明には、例えば以下のようなランプが用いられる。
ダイニングテーブル上の照明条件は、料理や食器のつや、彩り、陰影が美しく見えることである。この照明条件を満たすものとして、白熱ランプやダイクロハロゲンランプなどが用いられる。
学習机上や学習空間の照明条件は、手くらがりなどが少なく、フリッカーなど目の疲れの要因が排除されていることである。この照明条件を満たすものとして、蛍光ランプやフリッカ  ーを極力なくした照明器具などが用いられる。
【発明の開示】
【発明が解決しようとする課題】
【０００４】
しかし、子供の学習空間としてダイニングルームを使用する場合に、ダイニングテーブル上の照明用として、上記した白熱ランプやダイクロハロゲンランプなどを用いた場合、照明対象物のつや感や陰影が重視されるため、手くらがりなどが生じて、学習用の照明として不適切なものとなる。
【０００５】
この発明の目的は、ダイニングテーブルをダイニング用として用いる場合でも、学習用として用いる場合でも、それぞれの利用に適切な照明条件でダイニングテーブル上を照明できる照明装置を提供することである。
【課題を解決するための手段】
【０００６】
この発明の照明装置は、下向きに反射させる下側反射板と、この下側反射板の下方に配置され下側反射板で反射光を生じさせる第１の光源と、上記下側反射板の上方に配置された上側反射板と、これら下側反射板と上側反射板の間に配置され上側反射板で反射光を生じさせる第２の光源とを備える。また、第１の光源のみが点灯する第１の点灯状態と、第１の点灯状態における第１の光源の光度よりも低い光度で第１の光源が点灯しかつ第２の光源が点灯する第２の点灯状態の間で点灯状態を切換可能な点灯状態切換手段を備える。  この構成の照明装置をダイニングテーブル上の照明に用いた場合、点灯状態切換手段により第１の光源のみが点灯する第１の点灯状態とすると、第１の光源の放射光を、下側反射板で反射させた反射光でダイニングテーブル上に照射することになる。このため、ダイニングテーブル上の料理や食器に陰影が生じる。点灯状態切換手段により第２の点灯状態とすると、第１の点灯状態における第１の光源の光度よりも低い光度で第１の光源を点灯させ、かつ第２の光源も点灯させる状態となる。このため、第１の光源の放射光を弱めて下側反射板で反射させた光と、第２の光源の放射光を、上側反射板で反射させた光とをダイニングテーブル上に拡散して照射することになり、手くらがりになることもなく、学習用の照明として好適なものとなる。その結果、ダイニングテーブルを食事に用いる場合でも、学習に利用する場合でも、それぞれの利用に適切な照明条件でダイニングテーブル上を照明できる。
【０００７】
この発明において、上側反射板と下側反射板との間に半透過板を介在させ、第２の光源を前記半透過板よりも上方に配置しても良い。半透過板は、拡散ガラス板等である。このように半透過板を設けた構成の場合、第２の点灯状態において、上側反射板での反射光の一部が、半透過板を透過して拡散するので、ダイニングテーブル上に照射される光がより拡散されることになり、学習用としての照明効果が高くなる。
【０００８】
この発明において、下側反射板が下向きに凹となる凹曲面に形成され、上側反射板が下向きに凸となる凸曲面に形成されたものであっても良い。
下側反射板が下向きに凹となる凹曲面に形成されていると、第１の点灯状態において、下側反射板で反射される反射光のダイニングテーブル上への指向性が高くなり、よりダイニング用として適した照明とすることができる。
また、上側反射板が下向きに凸となる凸曲面に形成されていると、第２の点灯状態において、上側反射板で反射される反射光がより拡散し易くなり、より学習用として適した照明とすることができる。
【発明の効果】
【０００９】
この発明の照明装置は、下向きに反射させる下側反射板と、この下側反射板の下方に配置され下側反射板で反射光を生じさせる第１の光源と、上記下側反射板の上方に配置された上側反射板と、これら下側反射板と上側反射板の間に配置され上側反射板で反射光を生じさせる第２の光源と、第１の光源のみが点灯する第１の点灯状態、および第１の点灯状態における第１の光源の光度よりも低い光度で第１の光源が点灯しかつ第２の光源が点灯する第２の点灯状態の間で点灯状態を切換可能な点灯状態切換手段とを備えるため、ダイニングテーブルを食事に用いる場合でも、学習に利用する場合でも、それぞれの利用に適切な照明条件でダイニングテーブル上を照明できる。
【発明を実施するための最良の形態】
【００１０】
この発明の一実施形態を図１ないし図５と共に説明する。図１は、この実施形態の照明装置の概略構成の側面図を示す。この照明装置１は、ダイニングルームに設置されてダイニングテーブル上を照らすものであって、反射板として下側反射板２と、この下側反射板２の上方に配置された上側反射板３とを備える。下側反射板２は、筒状体の一部周域部分からなる断面が略円弧状の部材であって、その凹となる片側の凹曲面２ａが反射面に形成される。この下側反射板２は、前記凹曲面２ａが下向きとなるように配置される。上側反射板３は、筒状体の一部周域部分からなる断面が略円弧状の部材であって、その凸となる片側の凸曲面３ａが反射面に形成される。この上側反射板３は、前記凸曲面３ａが下向きとなるように、その長手方向を前記下側反射板２の長手方向に揃えて配置される。
【００１１】
これら下側反射板２と上側反射板３の間には、第１および第２の光源４，５を支持した光源支持体６が配置される。この光源支持体６の上面には、その長さ方向に互いに離れて、複数本の吊具挿通用パイプ７が突設され、このパイプ７を介して上側反射板３が光源支持体６に連結される。光源支持体６は、光源４，５を点灯駆動する照明回路１０を内蔵したケースであって、上下の反射板２，３の長手方向に延びる箱状とされている。光源支持体６は、その上面の断面形状が、一対の傾斜面部６ａが互いに逆Ｖ字状を成す形状とされている。光源支持体６の上面は、反射面とされている。光源支持体６と下側反射板２とは、結合具（図示せず）を介して結合され、または光源４を介して結合される。
【００１２】
上側反射板３と下側反射板２との間には半透過板８が介在させ、第２の光源５は、この半透過板８よりも上方に配置される。半透過板８は、平板状の拡散ガラス等からなり、光源支持体６の両側部からそれぞれ側方に延びて設けられ、光源支持体６に取付けられている。
この照明装置１は、図２に一部を斜視図で示すように、前記下側反射板２、上側反射板３、および半透過板８が上下三層に重なった構成とされ、前記各吊具挿通用パイプ７に挿通される吊具９で、天井からペンダント状に吊り下げて使用される。吊具９のうちの１本は、電源コード兼用のものとされ、この電源コードが前記照明回路１０に接続される。吊具９は、この実施形態では２本設けているが、照明装置１の全体の平面形状が円形や正方形状等とした場合は、１本であっても良い。
【００１３】
第１の光源４は、主としてダイニング用の照明として使用されるものであって、２８００〜３０００ｋ程度の温かみのある光を放射するチップＬＥＤ等のＬＥＤからなる。この光源４は、光源支持体６の下面から突出するように、光源支持体６のソケット（図示せず）に取付けられる。下側反射板２は、光源４の挿通用の開口（図示せず）を有しており、第１の光源４は、下側反射板２の前記開口に挿通されて、その少なくとも発光部が下側反射板２より下方に位置する。第１の光源４は、下側反射板２の幅方向に２個並べて設けられている。第１の光源４が点光源である場合、例えば、下側反射板２の長さ方向にも複数個並べ、２列に配列しても良い。第１の光源４が線光源である場合は、下側反射板２の長さ方向に延びるように配置する。これら第１の光源４は、その放射光を下側反射板２の反射面である凹曲面２ａで反射させて反射光を生じさせる。
【００１４】
第２の光源５は学習用の照明として使用されるものであって、３５００〜４２００ｋ程度の白っぽい光を放射するチップＬＥＤ等のＬＥＤからなる。この光源５は光源支持体６の上面に設けられる。つまり、第２の光源５は、下側反射板２と上側反射板３の間に配置され、その放射光を上側反射板３の反射面である凸曲面３ａで反射させて反射光を生じさせる。第２の光源５は、光源支持体６の両側の傾斜面部６ａにそれぞれ位置するように、２個並べて設けられている。これら第２の光源５は、光源支持体６に設けられたソケット（図示せず）に取付けられる。第２の光源５が点光源である場合、例えば、下側反射板２の長さ方向にも複数個並べ、２列に配列しても良い。第２の光源５が線光源である場合は、光源支持体６の長さ方向に延びるように配置する。
【００１５】
図３は、前記照明回路１０を示すブロック図である。ここで言う照明回路１０は、電源回路および制御回路を含む。照明回路１０の電源回路は、図示は省略するが、例えば各光源４，５がチップＬＥＤ等のＬＥＤからなる場合、商用交流電源を直流電源に変換するコンバータを有し、各光源４，５を直流電流で点灯駆動する。
この照明回路１０の制御回路としては、リモートコントローラ２０から無線送信される各種指令信号を受信する受信部１１と、受信された所定の指令信号に基づき前記光源４，５の点灯状態を切り換える点灯状態切換手段１２を有する。この点灯状態切換手段１２は、第１の点灯状態と第２の点灯状態の間で点灯状態を切り換えるものである。
第１の点灯状態は、第１の光源４のみが点灯する点灯状態である。第２の点灯状態は、第１の点灯状態における第１の光源４の光度よりも低い光度、例えば５０％程度の光度で第１の光源４が点灯し、かつ第２の光源５が点灯する点灯状態である。この場合、前記第１の点灯状態はダイニング用の照明となるものであり、第２の点灯状態は学習用の照明となるものである。
【００１６】
図４および図５は、この照明装置１の各点灯状態を示す説明図である。この照明装置１をダイニング用として使用する場合、図４のように、リモートコントローラ２０から照明回路１０に第１の点灯状態とする指令信号を無線送信する。この指令信号を受けて、照明回路１０の点灯状態切換手段１２は、第１の光源４のみが点灯する第１の点灯状態とする。この点灯状態では、２８００〜３０００ｋ程度の温かみのある光を放射するＬＥＤからなる第１の光源４の放射光を、下側反射板４だけで反射させてダイニングテーブル上に照射することになる。つまり、ダイニングテーブル上を指向性の高い温かみのある光線で照射できる。その結果、ダイニングテーブル上の料理や食器につやや陰影ができ、料理が美味しそうに見える。
【００１７】
この場合、下側反射板２は、下向きに凹となる凹曲面２ａが反射面として形成されているので、下側反射板２で反射される反射光のダイニングテーブル上への指向性が高くなり、よりダイニング用として適した照明とすることができる。
【００１８】
この照明装置１を学習用として使用する場合、図５のように、リモートコントローラ２０から照明回路１０に第２の点灯状態とする指令信号を無線送信する。この指令信号を受けて、照明回路１０の点灯状態切換手段１２は、第１の点灯状態（ダイニング用）における第１の光源４の光度よりも低い光度（例えば５０％）で第１の光源４を点灯させ、かつ第２の光源５も点灯させる。つまり、この点灯状態では、２８００〜３０００ｋ程度の温かみのある光を放射するＬＥＤからなる第１の光源４の放射光を弱めて、下側反射板４で反射させた光と、３５００〜４２００ｋ程度の白っぽい光を放射するＬＥＤからなる第２の光源５の放射光を、上側反射板５で反射させた光とをダイニングテーブル上に照射する。したがって、もともとフリッカーのない直流駆動のＬＥＤの光を拡散させてダイニングテーブル上に照射できるので、手暗がりなることもなく、学習用の照明として好適なものとなる。また、上側反射板５での反射光の一部は、半透過板８を透過して拡散するので、ダイニングテーブル上に照射される光がより拡散されることになり、学習用としての照明効果が高くなる。
【００１９】
この場合、上側反射板３は、下向きに凸となる凸曲面３ａが反射面として形成されているので、上側反射板３で反射される反射光がより拡散し易くなり、より学習用として適した照明とすることができる。
【図面の簡単な説明】
【００２０】
【図１】この発明の一実施形態にかかる照明装置の概略構成を示す側面図である。
【図２】同照明装置の部分斜視図である。
【図３】同照明装置における照明回路の構成を示すブロック図である。
【図４】同照明装置をダイニング用として点灯した状態を示す説明図である。
【図５】同照明装置を学習用として点灯した状態を示す説明図である。
【符号の説明】
【００２１】
１…照明装置
２…下側反射板
３…上側反射板
４…第１の光源
５…第２の光源
８…半透過板
１２…点灯状態切換手段
【図１】
2009059502.tif 000003
【図２】
2009059502.tif 000004
【図３】
2009059502.tif 000005
【図４】
2009059502.tif 000006
【図５】
2009059502.tif 000007